(57)【要約】【課題】トリガポールを製造する工程、時間を大幅に短縮した磁石発電機の回転子を得る。【解決手段】カップ状に形成されたフライホイール１の周壁部の内周に永久磁石２を取り付けるとともに、フライホイールの外周に複数のトリガポール９を配設してなる磁石発電機の回転子において、フライホイールとは別の部材で形成され、複数のトリガポール９をプレス加工によって同時に打ち抜いて形成した突起リング１００を備え、該突起リングをフライホイールに一体に組付けることによって回転子を構成するようにした。【選択図】図１
2008278717.tif 000002
【特許請求の範囲】
【請求項１】
カップ状に形成されたフライホイールの周壁部の内周に永久磁石を取り付けるとともに、前記フライホイールの外周に複数のトリガポールを配設してなる磁石発電機の回転子において、前記フライホイールとは別の部材で形成され、前記複数のトリガポールをプレス加工によって同時に打ち抜いて形成した突起リングを備え、該突起リングを前記フライホイールに一体に組付けることによって前記回転子を構成するようにしたことを特徴とする磁石発電機の回転子。
【請求項２】
前記突起リングには、前記フライホイールの周方向に等間隔で前記トリガポールを形成すると共に、該トリガポールの基準位置を示す歯欠け部と、この歯欠け部によるアンバランスを補正するためのバランス補正穴が設けられ、且つ、該歯欠け部とバランス補正穴を、プレス加工により前記トリガポールと同時に形成したことを特徴とする請求項１に記載の磁石発電機の回転子。
【請求項３】
前記フライホイールのボス部に形成されたキー形状と前記突起リングとの角度位置を決めるための位置決め穴を、前記突起リングに形成したことを特徴とする請求項２に記載の磁石発電機の回転子。
【請求項４】
前記突起リングの位置決め用穴と、前記バランス補正穴とを共用するようにしたことを特徴とする請求項３に記載の磁石発電機の回転子。
【請求項５】
前記トリガポールの磁石発電機の信号センサとの対向面が、前記フライホイールの径方向に向いて対向するようにし、径方向の信号検出構造としたことを特徴とする請求項１〜請求項４のいずれか１項に記載の磁石発電機の回転子。
【発明の詳細な説明】
【技術分野】
【０００１】
この発明は、フライホイールの回転によって磁石と電機子巻線との電磁誘導作用により発電する磁石発電機の回転子に関するものである。
【背景技術】
【０００２】
内燃機関においては、点火時期や、燃料の噴射時間などを制御する際に、機関のクランク角情報や機関の回転速度情報を必要とする。そのため、例えば、特開２００３−２７４６０１号公報に示されるように、磁石発電機の回転子としてフライホイール磁石回転子が用いられる場合には、フライホイールの周壁部の外周に、突起からなる誘導子磁極部を設け、この誘導子磁極部を利用して、信号発電子によりクランク角情報や回転速度情報を含むパルスを発生させるようにしたものが知られている。また、同公報には、誘導子磁極部は、フライホイールの周壁部の一部を内側から外側に打ち出すことによって形成すること、および、誘導子磁極部を外側に突出させたことによる質量のアンバランスを補正するために、誘導子磁極部の内側に凹部を形成することや、質量アンバランス補正用ウエイトを設けることが開示されている。
【０００３】
図３、図４は、このようなフライホイールの周壁部に突起部（誘導子磁極部）を形成した他の従来例を示すもので、この発明の対象となる従来の磁石発電機を示すものである。まず、図３において、（ａ）は正面図、（ｂ）は一部断面側面図、（ｃ）は（ｂ）の一部拡大図を示すもので、１は、椀状（カップ状）に形成されたフライホイール、２はフライホイール１の周壁部内周に周方向に配置された複数個の磁石、３は、環状に配置された磁石２の内周側に密着して嵌合された筒状の保護環である磁石カバーである。４は、磁石２の隙間部に充填され、磁石２、磁石カバー３をフライホイール１と一体に固定する樹脂もしくはモールド成形材である。
【０００４】
フライホイール１の外周面には等間隔に配置された複数個の突起（以下、トリガポールともいう。）５が形成されており、また、一部にトリガポール５が存在しない箇所である歯欠け部ＮＴが形成されている。このトリガポールの抜けている箇所すなわち歯欠け部ＮＴが基準位置となるものであって、フライホイール１はエンジンのクランクシャフトと直結されていることから、フライホイール１とエンジンの回転状態は同一であり、このため、この歯欠け部ＮＴを信号センサＳで検出することによって、フライホイール１すなわちエンジンの回転状態を確認することができる。
また、歯欠け部ＮＴが存在するということは、フライホイールのバランスが悪くなることであり、このバランスを補正するために、歯欠け部ＮＴの対称位置となるフライホイール１の外周面には、バランス補正穴が設けられている。
また、フライホイール１の側壁部における中心部には、回転軸に装着するボス部６が存在し、ボス部６にはキー溝７が形成されて、キー溝７とトリガポール５の基準位置となる歯欠け部ＮＴとは、所定の角度になるように配置されている。
【０００５】
フライホイール１の内周側には、フライホイール１の回転によって磁石２との電磁誘導作用により発電するための電機子巻線有する固定子８が設けられている。固定子８は複数枚の薄板鋼板からなる積層鉄心に巻線された発電コイル（電機子巻線）８ｃを備えている。積層鉄心には発電コイル８ｃとの絶縁を確保するための絶縁材（例えば樹脂モールド、エポキシ系パウダ塗装）を施しており、発電コイル８ｃには剛性・絶縁品質を確保する為の外装処理（ワニスやエポキシ樹脂など）を施している。
【０００６】
なお、図４は、トリガポール５が磁石発電機の軸方向に打ち出された従来例を示すもの
である。
【０００７】
【特許文献１】特開２００３−２７４６０１号公報
【発明の開示】
【発明が解決しようとする課題】
【０００８】
このような従来のフライホイール形の磁石発電機においては、トリガポール５をフライホイール１の内周面から外周面にかけ１突起づつ打ち出して成形しているため、トリガポールの製造に多大の工程および時間を要していた。また、等間隔に配置された突起５に対し、１箇所突起が存在しない箇所（歯かけ部ＮＴ）が存在し、この歯かけ部ＮＴとは対称となる箇所にバランス補正穴が形成されているが、このバランス補正穴の加工については、突起打ち出し行程とは別の行程が必要とされている。
【０００９】
また、このようなフライホイール１の内周面から外周面にかけ突起５を打ち出す方法では、フライホイール１の内周面の真円度を悪化させ、フライホイール１の内径精度を確保することが困難である。
【００１０】
なおまた、フライホイール１のトリガポール５の形成を、打ち出し方法とは別に、削り出し方法によって行うことも可能であるが、削り出しでは１突起毎に削り出す必要があることから、製造時間に更なる時間が必要となる。
【００１１】
さらに、トリガポール５が軸方向に打ち出された構造では、部品点数が多く、各部品の積上げ公差上、信号センサＳとトリガポール５とのエアギャップｇが不安定になり、信号のばらつきが懸念されるという欠点がある。
【００１２】
この発明は以上のような従来装置の問題点を解消するためになされたもので、トリガポールを製造する工程、時間を大幅に短縮すると共に、フライホイールの内径精度を確保し、固定部と回転部との安定したエアギャップを確保することのできる磁石発電機の回転子を提供することを目的とする。
【課題を解決するための手段】
【００１３】
この発明に係わる磁石発電機の回転子は、カップ状に形成されたフライホイールの周壁部の内周に永久磁石を取り付けるとともに、前記フライホイールの外周に複数のトリガポールを配設してなる磁石発電機の回転子において、前記フライホイールとは別の部材で形成され、前記複数のトリガポールをプレス加工によって同時に打ち抜いて形成した突起リングを備え、該突起リングを前記フライホイールに一体に組付けることによって回転子を構成するようにしたものである。
【００１４】
また、前記突起リングには、前記フライホイールの周方向に等間隔で前記トリガポールを形成すると共に、該トリガポールの基準位置を示す歯欠け部と、この歯欠け部によるアンバランスを補正するためのバランス補正穴が設けられ、且つ、該歯欠け部とバランス補正穴を、プレス加工により前記トリガポールと同時に形成したものである。
【発明の効果】
【００１５】
この発明の磁石発電機の回転子によれば、トリガポール（突起）を製造する工程および時間を大幅に短縮することができるとともに、フライホイールの内径精度を確保することができ、したがって、固定部と回転部との安定したエアギャップを確保することのできる磁石発電機の回転子を得ることができる。
【００１６】
また、トリガポールをプレス加工で打ち抜く際に、バランス補正穴も同時に打ち抜くこ
とで、従来必要とされていたバランス補正穴の製造工程を不要とすることができる。
【００１７】
上述した、またその他の、この発明の目的、特徴、効果は、以下の実施の形態における詳細な説明および図面の記載からより明らかとなるであろう。
【発明を実施するための最良の形態】
【００１８】
実施の形態１．
以下、図１、図２を参照してこの発明の実施の形態１について説明する。
図１はこの発明の実施の形態１の磁石発電機の回転子の構成を示すもので、図１（ａ）は正面図、同（ｂ）は一部断面側面図、同（ｃ）は（ｂ）の一部拡大図、図２はこの発明の主要部である突起リングの一例を示す斜視図である。図中、図３、図４との同一符号は、同一または相当部分を示すものとする。
図１において、１〜４および６、７は上述した従来装置と同様のもので、１は、椀状（カップ状）に形成されたフライホイール、２はフライホイール１の周壁部内周に周方向に配置された複数個の磁石、３は、環状に配置された磁石２の内周側に密着して嵌合された筒状の保護環である磁石カバー、４は、磁石２の隙間部に充填され、磁石２、磁石カバー３をフライホイール１と一体に固定する樹脂もしくはモールド成形材、６は回転軸に装着するボス部、７はキー溝である。なお、図１においては、積層鉄心とこの積層鉄心に巻線された電機子巻線有する固定子は省略している。
【００１９】
図２において、１００は、この発明の主要部である突起リングであり、フライホイール１とは別部品として構成され、周方向に等間隔で複数の突起（以下、トリガポールともいう。）９が、プレス加工によって同時に打ち出されて形成されるとともに、Ｌ字形に折り曲げられて、突起部側とフライホイールへの取り付け部１０１とが形成されている。
そして、取り付け部１０１には、フライホイール１にリベットにより突起リングを組付けるためのリベット穴１０が形成されている。また、突起部側には、トリガポール９が配置されていない箇所すなわち歯欠け部ＮＴが設けられており、この歯欠け部ＮＴと対称となる箇所に、バランス補正穴１１が形成されている。なお、このバランス補正穴１１は、フライホイール１のボス部６に形成されたキー溝７とトリガポール９とが正規の位置に配置されるよう、位置決め穴も兼ねている。また、このバランス補正穴１１は、トリガポールを打ち抜くプレス工程の際に同時に抜き出すことによって、従来必要とされたバランス補正穴の加工工程をなくすことができる。
【００２０】
以上のように構成された突起リング１００をフライホイール１の外周にリベットで組付けることにより、磁石発電機の回転子が製作されるものである。
なお、突起リング１００とフライホイール１との組付けは、リベット構造に限らず、例えば、圧入によって組み込むことも可能なことは勿論である。
【００２１】
トリガポール（突起部）９の外周近傍には突起信号を読取るための信号センサ（以下、ピックアップともいう。）Ｓが配設され、トリガポール９とピックアップＳの間にはエアギャップｇが空いている。トリガポール９はフライホール１と共に回転するが、ピックアップＳは固定されおり、回転せずにトリガポール９の信号を読み取る。
【００２２】
なお、上記実施の形態１の説明においては、トリガポールが打ち抜かれた突起リングを、最初からリング形状に打ち抜いて製作するものについて説明したが、これに限られることはなく、例えば、帯状の部材を用いてトリガポールを打ち抜いた後、リング状に成形してもよい。
【００２３】
以上のようにこの発明の実施の形態１の磁石発電機の回転子によれば、従来はフライホイールと一体に成形されていたトリガポールとバランス補正穴を、フライホイールとは別
部品として製造した後、フライホイールと結合するようにしたので、製造工程および時間を大幅に短縮することができ、大幅なコスト低減を図ることができる。
【００２４】
また、フライホイールの内径精度が確保され、固定部と回転部との安定したエアギャップを確保することができるので、磁石発電機としての信頼性を高めることができる。
【図面の簡単な説明】
【００２５】
【図１】この発明の実施の形態１における磁石発電機の回転子を示すもので、（ａ）は正面図、（ｂ）は一部断面側面図、（ｃ）は（ｂ）の一部拡大図である。
【図２】この発明の実施の形態１の主要部である突起リングの一例を示す斜視図である。
【図３】従来の磁石発電機の回転子を示すもので、（ａ）は正面図、（ｂ）は一部断面側面図、（ｃ）は（ｂ）の一部拡大図である。
【図４】他の従来例を示すもので、（ａ）は正面図、（ｂ）は一部断面側面図、（ｃ）は（ｂ）の一部拡大図である。
【符号の説明】
【００２６】
１  フライホイール、２  磁石、３  磁石カバー、４  樹脂もしくはモールド成形材、
６  ボス部、  ７  キー溝、９  トリガポール（突起）、１０  リベット穴、
１１  バランス補正穴、ＮＴ  歯欠け部、１００  突起リング、１０１  取り付け部、
Ｓ  信号センサ、ｇ  エアギャップ。
【図１】
2008278717.tif 000003
【図２】
2008278717.tif 000004
【図３】
2008278717.tif 000005
【図４】
2008278717.tif 000006